(57)【要約】【課題】効率良く、むらなく局所加熱を行うことができ、局所加熱を行っても高周波発生装置にダメージを生じることのない高周波加熱調理器を提供する。【解決手段】高周波加熱調理器１は前面が扉１２となった加熱室１１を有する。高周波発生装置１３からの高周波は導波管１４から加熱室１１に供給される。導波管１４に設けられたアンテナ１８が高周波の分布をコントロールする。制御部３０はアンテナ１８が所定の方角を向いて所定角度で揺動するように制御を行う。アンテナ１８の揺動角度は入力した加熱条件に合わせて制御される。また温度検知素子４３の検出した高周波発生装置１３の動作温度に基づいてアンテナ１８の揺動角度の制御が行われる。【選択図】      図２
2004219010.tif 000002
【特許請求の範囲】
【請求項１】
加熱室と、高周波発生装置と、この高周波発生装置で発生した高周波を前記加熱室に導く導波管と、加熱室内の高周波分布をコントロールするアンテナとを備えた高周波加熱調理器において、
前記アンテナが所定の方角を向いて所定角度で揺動するように制御を行う制御手段を備えたことを特徴とする高周波加熱調理器。
【請求項２】
前記制御手段は、入力された加熱条件により前記揺動角度を制御することを特徴とする請求項１に記載の高周波加熱調理器。
【請求項３】
前記高周波発生装置の動作状態を検出する状態検出手段を備え、この状態検出手段の検出した高周波発生装置の動作状態に基づいて前記制御手段が前記揺動角度の制御を行うことを特徴とする請求項１に記載の高周波加熱調理器。
【発明の詳細な説明】
【０００１】
【発明の属する技術分野】
本発明は高周波加熱調理器に関する。
【０００２】
【従来の技術】
高周波加熱調理器（電子レンジ）では、高周波発生装置で生成した高周波を導波管で加熱室に導き、加熱室内の被加熱物に含まれる水分子を振動させて被加熱物の温度を上昇させる。被加熱物を均一に加熱するためには、高周波がまんべんなく照射されねばならない。そのため、加熱室内部に回転載置台（ターンテーブル）を設け、この回転載置台に被加熱物を載置し、被加熱物の各部を導波管の給波口に向かい合わせつつ加熱を行うようにしたものが多い。
【０００３】
上記のような回転載置台を有する高周波加熱調理器では、被加熱物が回転載置台からはみ出すのは好ましくない。というのは、回転載置台から被加熱物がはみ出していると、回転する際にそのはみ出した部分が加熱室の内壁に当たり、回転が阻害されるからである。このため、被加熱物を置けるのは回転載置台の直径の範囲内という制限が生まれ、加熱室の隅を被加熱物の配置空間として利用できないので、空間利用効率が悪い。また回転載置台が邪魔をするので加熱室の内部を掃除しにくい。
【０００４】
最近では、回転載置台を持たない高周波加熱調理器も多くなっている。被加熱物を固定載置台の上に置き、アンテナ手段を用いて高周波を加熱室内部に均一に分布させるのである。このような高周波加熱調理器の一例を特許文献１に見ることができる。
【０００５】
特許文献１には、加熱庫の底部に設けた導波管の開口にモーターの駆動により回転するアンテナを設け、このアンテナにより加熱庫に電波を供給するようにした高周波加熱装置が記載されている。
【０００６】
特許文献１の高周波加熱装置では、被加熱物の位置に配慮した高周波の放射は行われない。これを改善し、場所によって高周波の強さを変え、加熱室全体として最適な加熱が行われるようにした高周波加熱装置も提案されている。特許文献２〜４にその例を見ることができる。
【０００７】
特許文献２には、加熱室の底壁面に設けた略円形の絞り部の中に指向性を有する電波放射手段を配置し、この電波放射手段をモータで回転駆動して電波放射方向を制御し、加熱室内全体の高周波分布の強弱を変化させるようにした高周波加熱装置が記載されている。
【０００８】
特許文献３には、３枚の導体長片と３枚の導体短片を放射状に配列してなる回転アンテナを高周波供給室内に設け、この回転アンテナを一時的に停止あるいは減速することにより、２種類の食材をそれぞれ異なる適温に均一加熱することができるようにした高周波加熱装置が記載されている。
【０００９】
特許文献４には、加熱室の上部に上導波管を配置し、加熱室の下部には下導波管を配置し、上導波管と下導波管には各々給電口に上回転アンテナと下回転アンテナを配置するとともに、回転アンテナを加熱中停止させ、その停止位置により、加熱による被加熱物の温度分布を任意に変えることができるようにした電子レンジが記載されている。
【００１０】
【特許文献１】
特開平１１−８０５７号公報
【特許文献２】
特開２００２−２１６９４４号公報
【特許文献３】
特開２００２−１１０３３９号公報
【特許文献４】
特開平９−１０２３９０号公報
【００１１】
【発明が解決しようとする課題】
上記従来の高周波加熱調理器では、アンテナを減速回転させるか、あるいは停止させて、エネルギーレベルの高い高周波を得ている。この方式には次のような問題がある。
【００１２】
［減速回転させる場合］
局所の集中加熱をねらいとして、アンテナを減速回転させたときは、局所以外における移動時間がロスとなり、加熱効率の低下を招く。また目指す局所以外の箇所も加熱され、局所とそれ以外の部分との加熱量の差が小さくなる。
【００１３】
［停止させる場合］
集中加熱したい局所にアンテナを近づけて停止させるのは、局所加熱という観点からは非常に有効である。しかしながらこの局所に存在する被加熱物に金属が含まれていた場合（例えば被加熱物をアルミホイルでくるんであった場合）、本来加熱室や被加熱物に放射されるべき高周波がその金属で反射され、高周波発生装置の方に戻る。これは高周波発生装置の損傷に結びつく。また、金属と高周波放射部との間に高電界が集中するおかげで載置台が集中的に加熱されてしまい、載置台が変色したり割れたりする。
【００１４】
被加熱物のサイズによっても問題が生じる。アンテナを停止させて局所加熱を行う場合、被加熱物が小さければ効率よく均一に加熱されるが、被加熱物が大きければ、被加熱物に加熱むらが生じる。
【００１５】
本発明は上記の点に鑑みなされたものであり、その目的とするところは、効率良く、むらなく局所加熱を行うことができ、局所加熱を行っても高周波発生装置にダメージを生じることのない高周波加熱調理器を提供することにある。
【００１６】
【課題を解決するための手段】
本発明加熱調理器は次の構成を備える。
【００１７】
（１）加熱室と、高周波発生装置と、この高周波発生装置で発生した高周波を前記加熱室に導く導波管と、加熱室内の高周波分布をコントロールするアンテナとを備えた高周波加熱調理器において、前記アンテナが所定の方角を向いて所定角度で揺動するように制御を行う制御手段を備えるものとした。
【００１８】
この構成によれば、被加熱物が存在する近辺に高周波を集中させることができ、局所加熱が可能である。しかも高周波の放射部が揺れ動いているので被加熱部の一部だけを焦がすということがない。また被加熱物が金属を含んでいて、高周波が反射されたとしても、アンテナが動いているため、反射された高周波の高周波発生装置への帰還が抑制され、高周波発生装置に大きなダメージは生じない。
【００１９】
（２）上記のような高周波加熱調理器において、前記制御手段は、入力された加熱条件により前記揺動角度を制御するものとした。
【００２０】
この構成によれば、入力した加熱条件に合わせて局所加熱の範囲が調節され、効率の良い、むらのない加熱が得られる。
【００２１】
（３）上記のような高周波加熱調理器において、前記高周波発生装置の動作状態を検出する状態検出手段を備え、この状態検出手段の検出した高周波発生装置の動作状態に基づいて前記制御手段が前記揺動角度の制御を行うものとした。
【００２２】
この構成によれば、高周波発生装置に異常が起こりそうなときは揺動の設定角度を変えて高周波発生装置の受けるダメージを緩和することができる。
【００２３】
【発明の実施の形態】
以下、本発明高周波加熱調理器の一実施形態を図１〜図５に基づき説明する。図１は外観斜視図、図２は垂直断面図、図３はアンテナの上面図、図４は回路構成図、図５は制御のフローチャートである。
【００２４】
高周波加熱調理器１はキャビネット１０を備える。キャビネット１０の正面には操作パネル１７が設けられる。キャビネット１０の中には前面が扉１２となった加熱室１１が形成される。加熱室１１の外側には高周波発生装置１３と導波管１４（図２参照）が配置される。高周波発生装置１３の生成した高周波は導波管１４より加熱室１１に供給される。導波管１４は加熱室１１の底面に設けられている。導波管１４の端には受信アンテナ部と放射アンテナ部を備えたアンテナ１８が配置される。アンテナ１８はモータ１９により加熱室１１の底面の上で連続回転又は揺動（周期的反転回動）せしめられ、加熱室１１内における高周波分布をコントロールする。アンテナ１８の上にはガラスやセラミックからなる載置台２０が配置されている。載置台２０は加熱室１１内で回転しないように支持されており、その上に被加熱物を置く。
【００２５】
高周波発生装置１３には温度検知素子４３が配置されている。温度検知素子４３は高周波発生装置の動作状態を検出する状態検出手段として機能する。この場合は動作温度をもって動作状態の指標とする。アンテナ１８を連続回転又は揺動させるシャフトには、アンテナ１８が特定の角度位置に至ったことを検知する検知スイッチ４４が設けられている。
【００２６】
アンテナ１８は平面形状が円形であり、図３に示すように、開口１８ａと、それとは形状の異なる２個の開口１８ｂが設けられている。開口１８ａは高周波の主たる放射部である。開口１８ｂはアンテナ１８の外周部からの高周波放射を抑制する。これにより、局所集中の高周波放射が可能となっている。なおアンテナ１８の形状は図３のものに限定されない。局所集中の高周波放射が可能でありさえすれば、どのような形状でもよい。
【００２７】
加熱調理器１の動作制御を行う制御手段として機能するのは制御部３０（図４参照）である。制御部３０の中核をなすのは中央制御部４０である。中央制御部４０はマイクロプロセッサを含み、加熱調理器１の全体制御を司る。制御状況は操作パネル１７の表示部１７ａに表示される。また操作パネル１７のキー操作部１７ｂより中央制御部４０に対する指令を入力する。
【００２８】
高周波発生装置１３は、トランス・コンデンサ・ダイオードで構成される高周波駆動電源１３ａと、これによって駆動されるマグネトロン１３ｂを有する。
【００２９】
中央制御部４０はリレースイッチ３１を開閉制御する。リレースイッチ３１は熱源である高周波発生装置１３やアンテナ１８のモータ１９などへの給電をＯＮ／ＯＦＦする。リレースイッチ３１と直列に安全スイッチ３２が接続されている。安全スイッチ３２は手動スイッチであって、トラブル発生時に中央制御部４０によらず加熱調理器１の動作を停止させるのに用いる。
【００３０】
モータ１９、高周波発生装置１３などの電気部品を冷却するファンモータ４１、加熱室１１の内部を照明するランプ４２、及び高周波発生装置１３には個々にリレースイッチ（リレースイッチ３３、３４、３５、３６）が接続され、個別に給電がＯＮ／ＯＦＦされる。なお図４に描かれたモータ１９はモータドライバーをも含むユニットである。アンテナ揺動運転時には中央制御部４０よりモータ１９に対し回転方向の反転のタイミングが指示される。
【００３１】
中央制御部４０には次の構成要素が接続される。すなわち扉１２の開閉を検知する扉スイッチ３７、加熱室１１内の湿度を検知する湿度検知素子３８、警告などの意味を持つ報知音を発生する音発生装置３９、及び前述の温度検知素子４３と検知スイッチ４４である。
【００３２】
次に、図５のフローチャートに基づき高周波加熱調理器１の制御フローを説明する。
【００３３】
まず加熱条件を入力する。最初は加熱品目の設定である（ステップＳ３０１）。次に加熱時間Ｔ０を設定する（ステップＳ３０２）。加熱時間Ｔ０は、使用者が入力してもよく、加熱品目の設定に伴い設定されるものとしてもよい。キー操作部１７ｂの中のスタートキーを押し、加熱をスタートさせる（ステップＳ３０３）。
【００３４】
ここで、アンテナ１８の制御方法（Ｃｏｎｔｒｏｌ  Ｍｏｄｅ：以下「ＣＭ」の略称を用いる）が決定される。３種類のＣＭの中から一つが、加熱品目に応じて自動的に選択される（ステップＳ３０４）。通常のあたため加熱の場合はアンテナ１８は３６０゜連続回転するように制御される。この制御方法がＣＭ１である。牛乳１杯、コーヒー１杯、ご飯１膳などといった、比較的小さな被加熱物に局所加熱を適用する場合は、アンテナ１８を狭い角度領域で揺動させる。この制御方法がＣＭ２である。牛乳２杯、コーヒー２杯、ご飯２膳とか、トンカツなど、非加熱物が大きめのときは広い角度領域で揺動させる。この制御方法がＣＭ３である。このように制御部３０は入力された加熱条件によりアンテナ１８の揺動角度を制御する。
【００３５】
ＣＭ２又はＣＭ３の場合、アンテナ１８は被加熱物に高周波が集中する方角を向いて、具体的に言えば開口部１８ａが非加熱物の真下に位置するような角度で揺動しなければならない。方角決定にあたっては次の二通りの方式がある。
【００３６】
▲１▼ＣＭ２又はＣＭ３が選択された場合、アンテナ１８は常に一定の方角を向くものとする。この場合、高周波の集中する場所が限定されるので、その場所に被加熱物が入るように、被加熱物の位置を調整する。
▲２▼被加熱物は載置台２０の上の任意の位置に置いて良いものとする。被加熱物がどこに置かれたかを検知手段（例えば非接触の温度センサや光センサ）で検知し、その検知結果に基づき、高周波の集中する場所が被加熱物の置かれた場所に一致するようにアンテナ１８の向きを調整する。
【００３７】
本実施形態では▲１▼の方式をもってアンテナ１８の方角を決定する。従って、非加熱物を載置台２０の中でも高周波を集中させる特定の場所に置いてもらわねばならない。そこで、例えば載置台２０の正面から見て中央、しかも奥まった箇所を被加熱物の置き場所に指定する。指定した場所は表示をする。表示にあたっては、載置台２０の表面に印刷する、色変わりのガラスやセラミックをはめ込む、ＬＥＤでぐるりと取り囲む、上からスポットライトを当てるなどの手法を採用することができる。
【００３８】
ステップＳ３０４でＣＭ２が選択されたときはステップＳ３０５に進み、ＣＭ３が選択されたときはステップＳ３０６に進む。ステップＳ３０５及びＳ３０６からはステップＳ３０７に進み、そこからステップＳ３０８に進む。ステップＳ３０４でＣＭ１が選択されたときは直接ステップＳ３０８に進む。
【００３９】
ＣＭ２が選択されたときは、揺動の反転周期ＴＷが短周期とされる（ステップＳ３０５）。アンテナ１８が１回転するのに要する時間が６，０００ミリ秒である場合（１０ｒｐｍに相当）、揺動が一度反転した後再度反転するまでの時間、すなわち反転周期ＴＷを６００ミリ秒とすれば、アンテナ１８は３６０゜の６００／６，０００の角度、すなわち３６゜の角度範囲で揺動することになる。なお本明細書に登場する時間や角度の具体的数値は一つの例示であり、発明の範囲がこれによって限定されるものではない。
【００４０】
ＣＭ３が選択されたときは、揺動の反転周期ＴＷが長周期とされる（ステップＳ３０６）。アンテナ１８の揺動の反転周期ＴＷを、例えば１，２００ミリ秒とすれば、アンテナ１８は３６０゜の１，２００／６，０００の角度、すなわち７２゜の角度範囲で揺動することになる。
【００４１】
ステップＳ３０７では加熱品目に対応して種々の定数が設定又はリセットされる。前述の通り、ＣＭ２又はＣＭ３を選択した場合にはアンテナ１８は特定の方角を向いて揺動しなければならない。その方角を定めるのに検知スイッチ４４を用いる。すなわちアンテナ１８が回転する間にある方角を向くと、その時点で検知スイッチ４４が開閉状態を反転する。この時のアンテナ１８の位置を「基準位置」とする。アンテナ１８は引き続き回転する。検知スイッチ４４が開閉状態を反転してからの時間が計測され、所定時間に達したところが「揺動位置」となる。以後、モータ１９がその位置でアンテナ１８を揺動させるように制御部３０は制御を行う。
【００４２】
検知スイッチ４４が開閉状態を反転してからアンテナ１８が揺動位置に達するまでの時間を移動時間Ｔ１とする。移動時間Ｔ１が例えば４，５００ミリ秒であるものとすると、上記基準位置と揺動位置との角度差は３６０゜の４，５００／６，０００、すなわち２７０゜となる。
【００４３】
温度検知素子４３は高周波発生装置１３の温度を検知する。温度検知素子４３が例えば３２０゜Ｃ以上の温度を検知したら、それは高周波発生装置１３にとり異常温度ＴＭであるものとする。
【００４４】
高周波発生装置１３が異常温度ＴＭになったときは、アンテナ１８をより広い角度領域で揺動させる。すなわちアンテナ１８が揺動方向を反転した後、再度反転するまでに要する時間を延長する。延長時間ＴＥは、例えば２０ミリ秒（角度にすれば１．２゜に相当）とする。このように制御部３０は状態検出手段である温度検知素子４３の検出した高周波発生装置１３の動作状態に基づいてアンテナ１８の揺動角度を制御する。
【００４５】
ステップＳ３０７で「移動時間Ｔ１」「異常温度ＴＭ」「反転周期の延長時間ＴＥ」が設定された後、ステップＳ３０８に進む。ステップＳ３０８では「加熱タイマーＴＣ」「移動タイマーＴＳ」「反転フラッグＦＨ」「移動フラッグＦＥ」がリセットされる。それからステップＳ３０９に進む。
【００４６】
ステップＳ３０９ではリレースイッチ群（リレースイッチ３１、３３、３４、３５、３６）がＯＮとなり、モータ１９は正方向に回転を開始し、高周波による加熱が始まる。それからステップＳ３１０に進む。
【００４７】
ステップＳ３１０では制御方法がＣＭ１であるか、そうでないかをチェックする。通常加熱であるＣＭ１の場合はステップＳ３１０からステップＳ３２０に進む。ステップＳ３２０では加熱タイマーＴＣが加熱時間のカウントアップを行う。そしてステップＳ３２１に進む。
【００４８】
ステップＳ３２１では、ステップＳ３０２で設定した加熱時間Ｔ０が経過したかどうかをチェックする。経過していればステップＳ３２７に進む。経過していなければステップＳ３２２に進む。
【００４９】
ＣＭ１の場合、移動フラッグＦＥはゼロ、すなわち立っていない。そのためステップＳ３２２からステップＳ３２３に進む。
【００５０】
ステップＳ３２３では制御方法がＣＭ１であるかどうかをチェックする。この場合はＣＭ１なのでステップＳ３２０に戻る。加熱時間Ｔ０が経過するまで、ステップＳ３２０→Ｓ３２１→Ｓ３２２→Ｓ３２３→Ｓ３２０のサイクルを繰り返す。この間、アンテナ１８は正方向に連続回転している。
【００５１】
加熱時間Ｔ０が経過するとステップＳ３２１からステップＳ３２７に進む。ステップＳ３２７ではリレースイッチ群をＯＦＦにして加熱を終了する。モータ１９も停止させる。
【００５２】
局所集中加熱であるＣＭ２又はＣＭ３の場合はステップＳ３１０からステップＳ３１１に進む。連続回転の場合と異なり、ここでは検知スイッチ４４の開閉状態（反転状態）が意味を持ってくるので、ステップＳ３１１で検知スイッチ４４の開閉状態をチェックする。
【００５３】
アンテナ１８が所定の角度位置に来るまでは、検知スイッチ４４の開閉状態は反転しない。そのため、ステップＳ３１２→Ｓ３１４→Ｓ３２０→Ｓ３２１→Ｓ３２２→Ｓ３２３→Ｓ３１１のサイクルを繰り返す。この間に加熱時間Ｔ０が経過すればステップＳ３２１からステップＳ３２７に進み、加熱は終了する。
【００５４】
アンテナ１８が所定の角度位置に来ると、検知スイッチＳ４４が開閉状態を反転する。これによりステップＳ３１２からステップＳ３１３に進み、反転フラッグＦＨが立つ。反転フラッグＦＨが立った状態でステップＳ３１４に進むと、今度はステップＳ３２０にではなく、ステップＳ３１５に進むことになる。
【００５５】
ステップＳ３１５では、移動タイマーＴＳが所定時間の経過をカウントしたかどうかをチェックする。この場合の所定時間は、ステップＳ３０７で設定した移動時間Ｔ１から反転周期ＴＷの１／２を減じたものである。すなわち所定時間＝Ｔ１−ＴＷ／２である。
【００５６】
ステップＳ３１４からステップＳ３１５に進み、最初は移動タイマーＴＳのカウントがゼロなのでステップＳ３１９に進む。ステップＳ３１９では移動タイマーＴＳのカウントアップを行い、ステップＳ３２０に進む。ステップＳ３２０では加熱タイマーＴＣのカウントアップを行い、ステップＳ３２１に進む。ステップＳ３２１では、ステップＳ３０２で設定した加熱時間Ｔ０が経過したかどうかをチェックする。経過していればステップＳ３２７に進む。経過していなければステップＳ３２２に進む。
【００５７】
ステップＳ３２２では移動フラッグＦＥが立っているかどうかをチェックする。この場合、アンテナ１８はまだ揺動位置に到達していないので移動フラッグＦＥはゼロ、すなわち立っていない。そのためステップＳ３２２からステップＳ３２３に進む。
【００５８】
ステップＳ３２３では制御方法がＣＭ１であるかどうかをチェックする。この場合はＣＭ１ではなくＣＭ２又はＣＭ３なので、ステップＳ３１１に戻る。それからステップＳ３１２に進む。反転フラッグＦＨが既に立った状態なので、ステップＳ３１２からステップＳ３１３に進むことなくステップＳ３１４に進む。こうしてステップＳ３１１→Ｓ３１２→Ｓ３１４→Ｓ３１５→Ｓ３１９→Ｓ３２０→Ｓ３２１→Ｓ３２２→Ｓ３２３→Ｓ３１１のサイクルを繰り返す。この間に加熱時間Ｔ０が経過すればステップＳ３２１からステップＳ３２７に進み、加熱は終了する。
【００５９】
ステップＳ３１５で移動タイマーＴＳが所定時間の経過をカウントしたときはステップＳ３１６に進む。ステップＳ３１６ではアンテナ１８は揺動位置への移動を完了している。すなわち開口１８ａが被加熱物（の置き場所）の真下に来ている。ここで移動タイマーＴＳをリセットする。また移動完了を表すため移動フラッグＦＥを立てる。そしてステップＳ３１７に進む。
【００６０】
ステップＳ３１７では、最初は移動タイマーＴＳのカウントがゼロのため、アンテナ１８は正方向に回転を続ける。ステップＳ３１９→Ｓ３２０→Ｓ３２１→Ｓ３２２と進む。ステップＳ３２２では、移動フラッグＦＥが立っているためステップＳ３２４に進む。
【００６１】
ステップＳ３２４では温度検知素子４３が検知した高周波発生装置１３の温度をチェックする。異常温度ＴＭになっていれば、ステップＳ３２５からステップＳ３２６に進む。ステップＳ３２６では反転周期を延長する。すなわちステップＳ３０５又はＳ３０６で設定されていた反転周期ＴＷに延長時間ＴＥを加えたものを新たな反転周期とする。これにより、揺動の設定角度が広がり、高周波発生装置１３の受けるダメージが緩和される。
【００６２】
ステップＳ３２６の後、ステップＳ３１７に戻る。異常温度ＴＭでなければステップＳ３２５から直接ステップＳ３１７に戻る。
【００６３】
このようにして、揺動回転の時期に入った後、揺動反転時期を迎えるまで、ステップＳ３１７→Ｓ３１９→Ｓ３２０→Ｓ３２１→Ｓ３２２→Ｓ３２４→Ｓ３２５→（Ｓ３２６）→Ｓ３１７のサイクルを繰り返す。この間に加熱時間Ｔ０が経過すればステップＳ３２１からステップＳ３２７に進み、加熱は終了する。
【００６４】
揺動回転の時期に入ってから、反転周期ＴＷの１／２だけ回転したところで、揺動方向を反転すべき時期を迎える。ここでステップＳ３１８に進む。
【００６５】
ステップＳ３１８では中央制御部４０からの指令を受けてモータ１９が回転方向を反転する。すなわちアンテナ１８の揺動が反転する。移動タイマーＴＳもリセットされる。
【００６６】
以下、ステップＳ３１７→Ｓ３１９→Ｓ３２０→Ｓ３２１→Ｓ３２２→Ｓ３２４→Ｓ３２５→（Ｓ３２６）→Ｓ３１７のサイクルを繰り返す。この間に加熱時間Ｔ０が経過すれば加熱は終了する。
【００６７】
以上本発明の一実施形態につき説明したが、発明の主旨を逸脱しない範囲でさらに種々の変更を加えて実施することが可能である。
【００６８】
【発明の効果】
本発明によれば、加熱室内の高周波分布をコントロールするアンテナが、所定の方角を向いて所定角度で揺動するように制御を行う制御手段を設けたから、被加熱物が存在する近辺に高周波を集中させることができ、局所加熱が可能である。しかも高周波の放射部が揺れ動いているので被加熱部の一部だけを焦がすということがない。また被加熱物が金属を含んでいて、高周波が反射されたとしても、アンテナが動いているため、反射された高周波の高周波発生装置への帰還が抑制され、高周波発生装置に大きなダメージは生じない。
【図面の簡単な説明】
【図１】本発明の一実施形態に係る高周波加熱調理器の外観斜視図
【図２】上記高周波加熱調理器の垂直断面図
【図３】アンテナの上面図
【図４】回路構成図
【図５】制御のフローチャート
【符号の説明】
１    高周波加熱調理器
１１  加熱室
１２  扉
１３  高周波発生装置
１４  導波管
１７  操作パネル
１８  アンテナ
１８ａ、１８ｂ  開口
１９  モータ
２０  載置台
３０  制御部（制御手段）
４０  中央制御部
４３  温度検知素子
４４  検知スイッチ
【図１】
2004219010.tif 000003
【図２】
2004219010.tif 000004
【図３】
2004219010.tif 000005
【図４】
2004219010.tif 000006
【図５】
2004219010.tif 000007